(57)【要約】空気サンプラモジュールが、分光技術を使って、表面上の液体および／または固体をモニターする検出デバイスと共に使用するために提供される。該空気サンプラモジュールは、ハウジングと、該検出デバイスによって分析されるべき空中に浮遊する脅威を含んでいる空気を収集するための取り入れ口と、収集された空気の分析を可能にするために該検出デバイスの光学トランシーバーの該ハウジングへの通信を可能にするポートとを含んでいる。このように、分光検出システムの能力は、空中に浮遊する脅威を分析する能力を含むように拡張される。
2009543072.tif 000002
【特許請求の範囲】
【請求項１】
分光技術を用いて表面上の液体および／または固体をモニターする検出デバイスとともに使用する空気サンプラモジュールであって、該検出デバイスは光学トランシーバーを含み、該空気サンプラモジュールは、ハウジングと、分析されるべき空気を収集するための取り入れ口と、該ハウジング内の仮想インパクターであって、該仮想インパクターは分析されるべきエアロゾル粒子を含む第一のフローと、分析されるべき蒸気を含む第二のフローとを生成するために、該収集された空気を分類する、仮想インパクターと、該第一のフローおよび第二のフローの分析を可能にするために、該ハウジングへの該検出デバイスの光学トランシーバーの通信を可能にするポートとを含む、空気サンプラモジュール。
【請求項２】
前記検出デバイスの光学トランシーバーの使用による分光分析のために、第一のフローに結合された、固体および／または液体のエアロゾル粒子を第一の表面上に堆積させるエアロゾル濃縮器をさらに含む、請求項１に記載の空気サンプラモジュール。
【請求項３】
前記検出デバイスの光学トランシーバーの使用による分光分析のために、第二のフローに結合された、蒸気を第二の表面上に濃縮する蒸気濃縮器をさらに含む、請求項２に記載の空気サンプラモジュール。
【請求項４】
前記蒸気収集器が加熱素子を含み、該加熱素子は新たなサンプルのために前記第二の表面の再利用を可能にするように、濃縮された蒸気を離れさせるために該蒸気を加熱する、請求項３に記載の空気サンプラモジュール。
【請求項５】
前記第二の表面が冷却されることにより、蒸気が凝縮して該第二の表面上に液体を生成する、請求項３に記載の空気サンプラモジュール。
【請求項６】
前記ハウジング内に少なくとも一つの光学素子をさらに含み、該少なくとも一つの光学素子は、前記光学トランシーバーと前記第一の表面との間にある第一の光学的経路と、該光学トランシーバーと前記第二の表面との間にある第二の光学的経路とを提供する、請求項３に記載の空気サンプラモジュール。
【請求項７】
前記少なくとも一つの光学素子がミラーであり、該ミラーが前記第一の光学的経路を作る第一の位置と、前記第二の光学的経路を作る第二の位置との間で可動である、請求項６に記載の空気サンプラモジュール。
【請求項８】
請求項１に記載の空気サンプラモジュールと前記光学トランシーバーを含むラマン検出デバイスとの組み合わせであって、該光学トランシーバーは、近距離隔離または遠隔における検出を行うために、該空気サンプラモジュールの外部の表面に向けられることが可能である、組み合わせ。
【請求項９】
分光検出システムであって、
ａ．表面上の物質の分光分析のために、該表面に光線を発して該表面からの散乱光を検出する光学トランシーバーと、
ｂ．ハウジングと、分析されるべき空気を収集するための取り入れ口と、該ハウジング内の仮想インパクターであって、該仮想インパクターは、該取り入れ口を通じて収集された空気を分類し、分析されるべきエアロゾル粒子を主に含む第一フローと分析されるべき蒸気を主に含む第二フローとを生成する、仮想インパクターと、該第一および該第二のフローの分光分析を可能にするために該ハウジング内への該光学トランシーバーの通信を可能にする、少なくとも一つのポートとを含む、空気サンプラモジュールと
を含む、分光検出システム。
【請求項１０】
少なくとも一つの光学素子をさらに含み、該少なくとも一つの光学素子は、前記空気サンプラモジュールの外部表面の近距離隔離または遠隔における検出を行うために、前記光学トランシーバーと該空気サンプラモジュールの外部表面との間に光学的経路を提供可能である、請求項９に記載のシステム。
【請求項１１】
前記空気サンプラモジュールがエアロゾル濃縮器をさらに含み、前記光学トランシーバーの使用による分光分析のために、該エアロゾル濃縮器は前記第一のフローと結合され、固体および／または液体のエアロゾル粒子を第一の表面上に堆積させる、請求項９に記載のシステム。
【請求項１２】
前記光学トランシーバーの使用による分光分析のために、前記第二のフローと結合された蒸気濃縮器をさらに含み、該蒸気濃縮器が該第二のフローからの蒸気を第二の表面上に濃縮する、請求項１１に記載のシステム。
【請求項１３】
前記ハウジング内に少なくとも一つの光学素子をさらに含み、該少なくとも一つの光学素子は、前記光学トランシーバーと前記第一の表面との間の第一の光学的経路と、該光学トランシーバーと前記第二の表面との間の第二の光学的経路とを提供する、請求項１２に記載のシステム。
【請求項１４】
前記光学トランシーバーがラマン光線を発してラマン散乱光を検出する、請求項９に記載のシステム。
【請求項１５】
前記空気サンプラモジュールが排出口をさらに含み、該排出口は前記ハウジング内に収集された空気を、該空気が分析された後で大気中に排出する、請求項９に記載のシステム。
【請求項１６】
分光技術を使って、空中に浮遊する脅威および空中に浮遊しない脅威を分析する方法であって、該方法は、
ａ．分析されるべき空気をハウジング内に収集することと、
ｂ．該ハウジング内で収集された空気を、エアロゾル化された液体および／または固体の粒子を含む第一のフローと、蒸気を含む第二のフローとに分類することと、
ｃ．該エアロゾル化された液体および／または固体の粒子を該ハウジング内の第一の表面上に、該蒸気を該ハウジング内の第二の表面上に堆積させることと、
ｄ．前記光学トランシーバーを該ハウジング内の第一の表面および第二の表面の少なくとも一つに光学的に結合し、該液体および／または固体のエアロゾル粒子もしくは該蒸気の分光分析を可能にすることと
を含む、方法。
【請求項１７】
前記第二のフローからの蒸気を加熱することをさらに含み、該蒸気からの液体を前記第二の表面上に濃縮する、請求項１６に記載の方法。
【請求項１８】
エアロゾル化された粒子を分析する場合には、前記光学的に結合することは、前記光学トランシーバーからの光線を前記第一の表面に向けることと、該第一の表面からの散乱光を該光学トランシーバーに向けることとを含み、蒸気を分析する場合には、該光学的に結合することは、該光学トランシーバーからの光線を前記第二の表面に向けることと、該第二の表面からの散乱光を該光学トランシーバーに向けることとを含む、請求項１６に記載の方法。
【請求項１９】
前記光学トランシーバーと前記ハウジングの外部表面との間に光学的経路を形成して、該ハウジングの外部表面上の固体および／または液体の物質の近距離隔離または遠隔における検出を行うことをさらに含む、請求項１６に記載の方法。
【請求項２０】
分光技術を使って、空中に浮遊する脅威および空中に浮遊しない脅威を分析するための方法であって、該方法は、
ａ．分析されるべき空気をハウジング内に収集することと、
ｂ．該空中に浮遊する粒子を該ハウジング内の少なくとも一つの表面上に堆積させることと、
ｃ．光学トランシーバーを該ハウジング内の該少なくとも第一の表面に光学的に結合し、該少なくとも第一の表面上に堆積した該粒子の分光分析を可能にすることと、
ｄ．該光学トランシーバーを該ハウジングの外部の一つの表面に光学的に結合し、該ハウジングの外部の該表面上の粒子の分光分析を可能にすることと
を含む、方法。
【請求項２１】
前記ハウジング内に収集された空気からの蒸気を該ハウジング内の第二の表面に向けることをさらに含み、光学的に結合することは、前記光学トランシーバーを該ハウジング内の第二の表面に光学的に結合して、該第二の表面上の蒸気の分光分析を可能にすることをさらに含む、請求項２０に記載の方法。
【請求項２２】
検出デバイスと空気サンプラモジュールの組み合わせであって、該検出デバイスは、光学トランシーバーを含み、該空気サンプラモジュールは、ハウジングと、分析されるべき含んでいる空気を収集するための取り入れ口と、該空気の分析を可能にするために該検出デバイスの該光学トランシーバーの該ハウジングへの通信を可能にする少なくとも一つのポートとを含み、該組み合わせは、少なくとも一つの光学素子をさらに含み、該少なくとも一つの光学素子は、該空気サンプラモジュールの外部表面上で近距離隔離または遠隔における検出を行うために、該検出デバイスの該光学トランシーバーと該空気サンプラモジュールの外部表面との間に第一の光学的経路を提供することと、該ハウジング内に収集された空気に含まれた脅威を分析するために、該光学トランシーバーと該空気サンプラモジュールの該ポートとの間に第二の光学的経路を提供することとが可能である、組み合わせ。
【発明の詳細な説明】
【技術分野】
【０００１】
本発明は、分光検出デバイスおよびシステムに関する。
【背景技術】
【０００２】
分光技術は物質を分析するために使われ、該技術は、有害物質が固相および液相で存在しうる表面を遠隔でモニターするために開発されてきた。気相／蒸気相における有害物質を検出するために、他の技術（例えば、ガスクロマトグラフィー）を使う検出システムが公知である。
【０００３】
しかしながら、エアロゾル化した粒子および蒸気の検出を扱う公知のラマンシステムは存在しない。
【発明の概要】
【課題を解決するための手段】
【０００４】
簡単に言うと、本発明の一局面に従うと、検出デバイスとともに使用されるため空気サンプラモジュールが提供され、該モジュールは分光技術を使って表面上の液体および／または固体をモニターする。空気サンプラモジュールは、ハウジングと、該検出システムによって分析されるべき空気を収集するための取り入れ口と、該取り入れ口を通じて収集された空気中の粒子を分類し第一フローおよび第二フロー（第一フローは主に分析されるべきエアロゾル粒子を含み、第二フローは主に分析されるべき蒸気を含んでいる）を生成するハウジング内の仮想インパクターと、第一および第二のフローの粒子の分析を可能にするためにハウジングへの検出デバイスの光学トランシーバーの通信を可能にするポートとを含んでいる。このように、光学検出デバイスの空気サンプラモジュールとの結合または統合は、分光検出システムを提供し、該システムは道路、壁または他の地表面などの表面（空気サンプラモジュールの外部）に堆積した固体または液体の物質を分析する能力を有し、空気サンプラモジュールが収集する空中に浮遊するエアロゾル化した粒子および蒸気を分析する。
【０００５】
本発明の別の局面に従うと、空中に浮遊する脅威および空中に浮遊しない脅威を分光技術を使って分析するために、一つの方法および一つの組み合わせが提供され、該方法および該組み合わせにおいて分析されるべき空気がハウジング内に収集される。空中に浮遊するエアロゾル粒子は、ハウジング内の少なくとも第一の表面に堆積する。検出デバイスの光学トランシーバーは、ハウジング内部の表面に光学的に結合され、ハウジング内部の第一の表面に堆積した粒子の分光分析を可能にする。加えて、光学トランシーバーは、ハウジング外部の表面に光学的に結合され、ハウジングの外部の表面上の粒子の分光分析を可能にする。
【図面の簡単な説明】
【０００６】
【図１】図１は、本発明の一実施形態に従った空気サンプラモジュールの透視図である。
【図２】図２は、空気サンプラモジュールと検出デバイスまたはシステムとのインターフェースの仕方を示すブロック図である。
【図３】図３は、空気サンプラモジュールによって既存の検出デバイスまたはシステムに提供される能力を描いている図である。
【図４】図４は、空気サンプラモジュールが車両に搭載された検出デバイスまたはシステムとともに使用されていることを描いている概略図である。
【図５】図５は、一実施形態に従って空気サンプラモジュールが検出デバイスまたはシステムにおける光学トランシーバーへの光学的アクセスを提供する仕方を示す概略図である。
【図６】図６は、一実施形態に従って空気サンプラモジュールのエアロゾル収集器と蒸気収集器への検出器の可能な光学的経路を示すブロック図であり、該経路は該モジュールの外部の表面を分析するための光学的経路と結合している。
【図７】図７は、一実施形態に従った空気サンプラモジュールにおいて有用な公知の蒸気収集器の一タイプの透視図である。
【図８】図８は、一実施形態に従った空気サンプラモジュールにおいて有用な公知の蒸気収集器の別のタイプの拡大図である。
【図９】図９は、一実施形態に従った空気サンプラモジュールにおいて有用な公知の蒸気収集器の別のタイプの拡大図である。
【発明を実施するための形態】
【０００７】
ラマン分光法は、存在する化学物質の量が分光システムの最小限のＳＮ比要件を満たす信号強度を発生させるのに十分である場合には、非常に多目的に使用でき、ほとんどの化学物質を検出、識別することができる。標的分子の低い濃度に起因して、エアロゾルは検出可能となる前に濃縮される必要がある。本発明のある実施形態によれば、既存の分光システムの機能を増大させることが可能であるか、または表面に堆積していた固体および液体を分析するシステムの以前からあった能力に加えて、空中に浮遊する粒子を含むように機能を拡張するために、そのようなシステムに統合されうる空気サンプラモジュールが提供される。
【０００８】
まず図１と２とを参照してみると、空気サンプラモジュールは概して参照数字１０に示され、取り入れ口１４、排気口１５および光学インテロゲート口（ｏｐｔｉｃａｌ  ｉｎｔｅｒｒｏｇａｔｉｏｎ  ｐｏｒｔ）１６を有するハウジング１２を備える。排気口１５は、分析された後でハウジング１２に集められた空気を排出する。空気サンプラモジュール１０は、図２の１００に示されているように、ラマンシステムのような既存の分光検出デバイスまたはシステムに統合されるように設計されている。空気サンプラモジュール１０の機能は、分光検出システム１００によって調べられうるように、蒸気とともにエアロゾル化した粒子を捕捉することである。分光検出システム１００は、多様な物質について表面を遠隔分析する能力をすでに有しているシステムである。このように、空気サンプラモジュール１０を検出システム１００に統合またはインターフェイスさせることによって、検出システム１００の能力は、物質の三相（固体、液体および気体または蒸気）すべてにおいて物質をモニターするために拡張された。例えば、かつ限定することなしに、検出システム１００の能力は、物質のすべての相において、任意の従来なかった薬剤（ＮＴＡ）、有毒工業薬品（ＴＩＣ）および化学または生物学兵器因子（ＣＷＡ）を検出するように拡張されうる。
【０００９】
空気サンプラモジュール１０の一つの利点は、該モジュールが新たな検出技術を必要としないことである。すなわち、該モジュールは表面の化学物質検出のためすでに利用されている証明済みの検出システム１００とともに使用されえ、それによって証明済みの検出システム１００をエアロゾルおよび蒸気の検出に利用できるようにする。その結果、液体が地上に落ちる前にエアロゾルを探索／スキャンする、および液体が地上で検出されない場合には蒸気を探索／スキャンすることが可能である。加えて、該モジュールは地上のエアロゾル、蒸気、および固体／液体の化学物質を互いに独立に、または組み合わせた状態で探索／スキャンすることを可能にする。検出システム１００の一例として、ＩＴＴ  Ｉｎｄｕｓｔｒｉｅｓによって製造販売されているＬＩＳＡＴＭラマン検出器がある。ＬＩＳＡＴＭラマン検出器は、固体および液体の表面の隔離または遠隔での検出を行うことができる。
【００１０】
空気サンプラモジュール１０を該モジュールと関連させて既存および既知の検出技術に統合することの利点は多数ある。分子の各タイプに特徴的なさまざまな振動モードからの特色ある「分光指紋」は既知であり、ＣＷＡおよびＴＩＣの既存のライブラリが収集された空気サンプルに関して利用可能である。紫外（ＵＶ）ラマン光源を使用する能力は、背景蛍光に起因する干渉およびソーラーブラインド作用に起因する昼光干渉の排除を最小化する。加えて、ＵＶラマン共振が、特定の分光の特質の増進、および波長の減少に伴うラマン断面における二次増加を達成する。遠隔または近距離隔離からの感知は、汚染された表面の液体および／または固体相の化学物質を（表面の接触およびサンプルの調製または濃縮なしに）直接調べることによって達成される。この文脈における「隔離」という用語は、およそ数センチメートルから数メートルの範囲の距離に定義する意味で用いられている。このように、検出システム１００は、ラマン光源およびサンプルの表面からラマン散乱光を検出する検出器を有している。空気サンプラモジュール１０を備えた検出システム１００は、稼動の際の柔軟性を有している。すなわち、検出システム１００は、シングルショットの動作（ｏｎ−ｔｈｅ−ｍｏｖｅ）検出モードまたは静止状態の凝視モードで稼動可能である。
【００１１】
図３に目を向けると、空気サンプラモジュール１０の統合によって与えられる検出システム１００の能力が示されている。空気サンプラモジュール１０は、固体、液体または蒸気の形状である空中に浮遊する脅威をモニターする能力を提供する。空中に浮遊する脅威は、エアロゾルまたは蒸気のどちらかである。例えば、エアロゾルの脅威は大きさが１〜１００ミクロンの範囲にある液体または固体の形状で空中に浮遊する粒子であり、一方、蒸気の脅威は局所化された空気塊に分散した分子（実質的に１ミクロンより小さい）であり、そこでは局所化された空気は溶剤として挙動する。蒸気の脅威は粒子状態では存在しない種類の脅威を表している。上記空気サンプラモジュールを備えた検出システム１００は、２００で示されているように直接表面インテロゲーションを用いて、空気サンプラモジュール１０の外部ですでに表面に落下していた液体／固体の脅威についてモニターできる。より小さい液体／固体の粒子脅威については、２１０で示されているように、空気サンプラモジュール１０のエアロゾルチャネルを調べることでモニターできる。そして、蒸気相の脅威については、２２０で示されているように、空気サンプラモジュール１０の蒸気チャネルを調べることでモニターできる。そのような機能において、検出システム１００は、空中に浮遊する脅威（エアロゾルおよび／または蒸気）のみをモニターでき、空中に浮遊する脅威を空気サンプラモジュールの外部の表面にすでに堆積した（例えば、落下した、または他の仕方で堆積した）空中に浮遊しない脅威とともにモニターでき、または空気サンプラモジュールの外部の表面に堆積している空中に浮遊しない脅威のみをモニターできる。
【００１２】
空気サンプラモジュール１０は、さまざまな配置プラットフォームにおける検出システム１００に統合可能である。図４は、空気サンプラモジュール１０と統合された検出システム１００が車両４００上の汚染物質保護シェルター内に装着されている発明の実施形態による、移動する車両の配置プラットフォームを示している。二つの機能を行うシェルターキャブ・インターフェース・アセンブリー３００が提供され、上記二つの機能は、１）車両のシェルターの完全な状態を隔離し保存する機能、および２）検出システムを空気サンプラおよび地表と光学的に連結する、すなわち以下で図６に関連して説明される機能である。可動指向性空気取り入れ口３２０および空気還流ふいご３３０を有する入出力ボックス３１０がある。可動指向性取り入れ口３２０は、空気サンプラモジュールの取り入れ口に結合され、分析されるべき空気を捕捉するために使用される。空気還流ふいご３３０は、排出された空気が取り入れ口３２０に逆流することを回避するような仕方で、空気サンプラモジュール１０からの空気を大気中に排出する。検出システム１００および連続運転する空気サンプラモジュール１０を装備した車両４００は、車両４００の下側の表面および比較的高速で走行する環境における空中に浮遊する汚染をスキャンすることによって、表面の汚染（液体および／または固体）を検出する能力を提供する。
【００１３】
ラマン分光法は、存在する化学物質の量が該システムの最小限のＳＮ比要件を満たす信号強度を発生させるのに十分である場合には、非常に多目的に使用でき、ほとんどの化学物質を検出、識別することができる。
【００１４】
図５に目を向けると、一つの実施形態に従って、空気サンプラモジュール１０のコンポーネントを説明するブロック図が提供されている。空気サンプラモジュールは、収集された空気を濾過し、濾過された空気を仮想インパクター２０に供給する吸気口前置フィルター１８を含む。仮想インパクター２０は二つの出力経路を有する。第一の出力経路またはフローはエアロゾル経路であり、空気フローが仮想インパクターによる処理の後にエアロゾル濃縮器３０に向けられる。エアロゾル濃縮器３０の出力は、回転ステージング機構５０の上にあるエアロゾル収集器４０に向けられる。仮想インパクター２０からの第二の出力経路またはフローは蒸気の経路であり、空気フローが蒸気濃縮器６０に向けられる。蒸気濃縮器６０は、蒸気を回転ステージング機構８０の上にある蒸気収集器７０に排出する。
【００１５】
空気は加速された速度（例えば、一実施形態では４０Ｌ／分）で収集され、この速度は仮想インパクター２０を使って蒸気からエアロゾルを分離することを可能にする。仮想インパクター２０からエアロゾル濃縮器へのエアロゾル経路はまた、「マイナーフロー」とも呼ばれるが、それは加速されたエアロゾル塊の大部分は慣性によって、より小さい量の空気に濃縮されるからである。仮想インパクター２０から蒸気濃縮器６０への蒸気の経路は「メジャーフロー」と呼ばれるが、それは該経路がサンプリングされた空気フローの大部分を含んでいるからである。蒸気は慣性の欠如に起因して、より大きな粒子から分離される。これら二つの出力は、空気サンプリングモジュール内に、エアロゾルと蒸気という二つの経路を作り出す。エアロゾルおよび蒸気のラマン検出または分析は、図５に示されているようにホスト検出システムにより行われる独立した測定であるが、空気サンプラモジュール１０の同一の光ポートを通じて行われる。さらには、これら二つの測定は独立であるものの、以下で図６に関連して説明されるカップリング光学素子（ｃｏｕｐｌｉｎｇ  ｏｐｔｉｃｓ）を用いて、一つの構成で自動的に達成される。
【００１６】
吸気口前置フィルター１８は機械デバイスであり、より大きな粒子が仮想インパクター２０に入ること、およびエアロゾルと蒸気の経路が目詰まりすることを防ぐための自己クリーニングフィルターのように作動する。例えば、一実施形態では、吸気口前置フィルター１８は大きなメッシュ入力スクリーン（ｍｅｓｈ  ｉｎｐｕｔ  ｓｃｒｅｅｎ）を含み、虫や他の屑が入らないようにする。また、このスクリーンの後に空力学的なチューブアセンブリーが続き、慣性衝突の原理に基づいて作動し、ある大きさ（例えば１００マイクロメーター）より大きい粒子を分離して廃棄する。
【００１７】
仮想インパクター２０は空中に浮遊する粒子を表面に衝突させることなく濃縮し、大きさによって選別するデバイスである。該デバイスは、複数のノズルの組み合わせを使って、エアロゾルクラウド中の直径が「カットサイズ（ｃｕｔ  ｓｉｚｅ）」を超える粒子を残りの粒子から分離する。仮想インパクター２０は、吸気のフローをメジャーフローとマイナーフローに分離する。一実施形態では、メジャーフローは吸気の約９０％およびカットサイズより小さい粒子の約９０％に相当する。そして、マイナーフローは吸気の残りのパーセントに相当するが、カットサイズより大きい粒子の大部分（一般に７０〜９０％）を含んでいる。例えば、カットサイズが１ミクロンである場合には、マイナーフローは吸気に関して１〜１０ミクロンの範囲の大きさの粒子を７〜９倍高い濃度で含んでいる。これに限定するものではないが、空気サンプラモジュール１０において使用されうる商業的に入手可能な仮想インパクターは、ＭｅｓｏＳｙｓｔｅｍｓ  Ｔｅｃｈｎｏｌｏｇｙ，  Ｉｎｃ．によって製造されるＭｉｃｒｏＶＩＣ（登録商標）  Ｐａｒｔｉｃｌｅ  Ｃｏｎｃｅｎｔｒａｔｏｒである。
【００１８】
仮想インパクター２０からのエアロゾルの経路またはチャネルは、二つの運転状態またはモードを有し、（ａ）エアロゾルの衝突、その後に（ｂ）検出が続く。エアロゾル濃縮器３０は、エアロゾル粒子（固体または液体）を衝突ノズルを通じてエアロゾル収集表面４０へ向ける。ＭｉｃｒｏＶＩＣ（登録商標）はこれらのノズルが装着されている。エアロゾル収集表面４０は、例えば、円盤またはプレートの形状をしたデバイスである。エアロゾルクラウドはエアロゾル濃縮器３０を通じて加速され、エアロゾル収集器４０に向けられる。エアロゾル粒子は、慣性によって、直接エアロゾル収集器４０に向けられる。捕捉の効率は、エアロゾル濃縮器３０の設計および粒子がその表面に衝突させられるエアロゾル収集器の基板４０の設計の両方に依存する。
【００１９】
表面に堆積したスポットの直径は、一実施形態では、直径が約２ｍｍまたは他の場合は検出システム光学素子が焦点を合わせ調べることが可能な大きさでありうる。例えば、一つのアルミ処理表面は、エアロゾル収集器基板４０として使用されうる。エアロゾル収集器の現行の設計は、受動表面張力および若干量の残留静電引力に依存し、これらの力は固体または液体の粒子を収集器に固定させる。エアロゾル収集器４０のための他の適切な材料の例は、紙、金属、またはプラスチックから製造された超微細フィルターである。
【００２０】
回転ステージング機構５０は、エアロゾル収集表面４０のためのステージング地点であり、該機構はエアロゾルを新しい、クリーンな表面に逐次的に堆積させる。
【００２１】
固体および液体のエアロゾル粒子は、エアロゾル収集器４０の上で捕捉され、インテロゲート光線４５によって示されるようにホスト検出システムによって調べられ、以下で図６に関連して説明される。
【００２２】
仮想インパクター２０からの蒸気の経路またはチャネルは、エアロゾルの経路とは違って、三つの運転状態またはモードを有し、（ａ）蒸気の濃縮、（ｂ）濃縮された蒸気の脱着、その後に（ｃ）検出がある。検出は蒸気が濃縮器から蒸気収集器７０に脱着された後で行われ、該収集器は分光インテロゲート光線７５を供給する。運転に際して、該検出システムは、ラマンデータのようなデータを追跡することができ、サンプル（該検出システムの既存の能力による外部表面、蒸気またはエアロゾル）のソースを指示できる。
【００２３】
図は単一のインテロゲート口１６を示しているが、その代わりに二つ以上のインテロゲート口を有することがあることが理解されるべきである。例えば、エアロゾルチャネル専用のインテロゲート口および蒸気チャネル専用のインテロゲート口を有することがありうる。このように、一般に、空気サンプラモジュール１０は、少なくとも一つのインテロゲート口を有する。
【００２４】
図６に目を向けると、空気サンプラモジュール１０のエアロゾル収集器４０および蒸気収集器７０への光学的経路が、一実施形態に従ってより詳細に示されている。参照番号１１０は、検出システム１００（図１および２）の光学トランシーバーコンポーネントである。光学トランシーバーコンポーネント１１０は、インテロゲート光線（例えばラマンレーザー光源からの）を伝送し、サンプルからの散乱光を受け取る。空気サンプラモジュール１０は、インテロゲート光線をエアロゾル収集器４０と蒸気収集器７０の両方に向けるための光学素子のネットワークを含む。一実施形態では、フリッパーミラー９０があり、該ミラーは第一および第二の位置の間で可動である。第一の位置で、該ミラー９０はインテロゲート光を光学トランシーバー１１０からエアロゾル収集器４０に向け、次いでエアロゾル収集器４０上のサンプルからの分散光を光学トランシーバー１１０に反射して戻す。第二の位置で、該ミラーは蒸気収集器７０と光学トランシーバー１１０の間の光学的経路から外に動かされる。この第二の位置は、図６において点線で示されている。いくつかのオプションとして回転ミラー９２、９４および９６があり、該ミラーは空気サンプラモジュール１０の大きさを減少させることを可能にする光学的経路における要求された曲がりに関して、光が光学トランシーバーへ向かう、および光が該トランシーバーから来るよう向けるために提供されうる。ミラー９０が第二の位置にある場合、光学トランシーバー１１０からの光はミラー９２、９４および９６によって蒸気収集器７０へ反射され、該蒸気収集器上のサンプルからの散乱された光はミラー９６、９４および９２によって光学トランシーバー１１０へ反射して戻される。
【００２５】
加えて、引き続き図６を見ると、光学素子１２０があり、該光学素子１２０は空気サンプラモジュール１０またはその外部にある表面６００（例えば路面、地面／床、壁など）への光学トランシーバー１１０のための光学的経路を変更するために、調整または作動されうる。一実施形態では、光学素子１２０は回転ミラーでありえ、第一の位置と第二の位置との間で調整され、第一の位置で光学トランシーバー１１０は空気サンプラモジュール１０を備えた光学的経路を有し、第二の位置で該光学トランシーバーは外部表面６００を備えた光学的経路を有する。使用者がいずれかの運転モード（空気サンプラモジュールまたは外部表面）を選択することを可能にするユーザーインターフェース制御が提供され、光学素子１２０は使用者の選択に応じて調整される。代替として、光学素子１２０はビームスプリッターデバイスでありうる。光学素子１２０は、検出システム１００、空気サンプラモジュール１０、または該検出システム１００および該空気サンプラモモジュール１０とは別のコンポーネントの一部として含まれうる。図６は、外部表面６００を備えた光学的経路を形成するときに、光学素子１２０が空気サンプラモジュール１０と光学トランシーバー１１０との間の物理的経路を遮断していることを示しているが、本システムは、その代わり光学素子１２０が空気サンプラモジュール１０への光学的経路を作成するときに物理的経路を遮断するように置かれ構成されうるように設計されえ、外部表面６００を分析するときに光学トランシーバー１１０の物理的経路の外に動かされうることが理解されるべきである。
【００２６】
蒸気濃縮器６０の機能を実行するための多くの技術が公知である。適切なデバイスの二つの例が、米国政府が支援しＭｅｓｏＳｙｓｔｅｍｓ  Ｔｅｃｈｎｏｌｏｇｉｅｓ，  Ｉｎｃ．によって開発された“Ｍｅｓｏｃｈａｎｎｅｌ”ｇａｓ  ｓａｍｐｌａｒ（ＭＧＳ）濃縮器、およびＵ．Ｓ．  Ｎａｖａｌ  Ｒｅｓｅａｒｃｈ  Ｌａｂｏｒａｔｏｒｙで開発されたが商業的に利用可能なＣａｓｃａｄｅ  Ａｖａｌａｎｃｈｅ  Ｓｏｒｂｅｎｔ  Ｐｌａｔｅ  Ａｒｒａｙ（ＣＡＳＰＡＲ）のバージョンである。
【００２７】
図７は蒸気濃縮器６０の例として、ＭＧＳの断面図を示している。ＭＧＳは吸着剤で覆われた小さなチャネル６２で構成されている。ＭＧＳは吸着剤中心の設計を有し、そのため単純な低電力のファン６４が使用されて、該チャネルを通るようにフローを押し流す。チャネル６２の壁は電気的に加熱されえ、収集された汚染物質を急速に脱着するので、蒸気収集チャネルは再使用されうる。その熱は濃縮された蒸気を除去し、次いで収集器が回転ステージング機構に戻され、引き続き起こる収集のために使用される。比較的高いフロー速度のローディングフェーズでは、気相の汚染物質はチャネルの壁に吸収される。ローディングの後１分未満で、チャネルの壁は急速に加熱され、収集された汚染物質を脱着して、検出のため汚染物質を蒸気収集器７０へ送る。
【００２８】
熱的に隔離された低熱容量の構造のマイクロ加工は、非常に低い電力での急速な加熱に関して利点を提供することで公知である。該マイクロ加工は、マイクロホットプレートセンサーに使用され、周囲より数百度高い温度で数十ｍＷから数百ｍＷの電力で稼動可能である。Ｎａｖａｌ  Ｒｅｓｅａｒｃｈ  Ｌａｂｏｒａｔｏｒｙの研究者たちは、マイクロ加工で作られたプレコンセントレーター設計を実証したが、該設計は小さな圧力降下を伴う大量のサンプリング（サンプリングポンプの大きさと電力要件とを最小化する鍵）を可能にするフロー設計とともに、これらの熱特性を利用する。
【００２９】
図８と図９とは、ＣＡＳＰＡＲプレコンセントレーターを蒸気濃縮器の別の例として示し、該ＣＡＳＰＡＲプレコンセントレーターは、一実施形態に従った空気サンプラモジュール１０において使用されうる。ＣＡＳＰＡＲデバイスは、参照番号６０’で示され、薄い膜６６を含み、該膜６６は選択的にエッチングされた低応力の窒化ケイ素層を使って形成された狭いテザー６８によって、シリコン基板に付着している。この熱隔離は、低電力で膜を急速に加熱する能力を高める。低い流動抵抗を提供するために、一連の孔部６９が膜に形成され、空気フローが膜を通って垂直に流れることが可能にされる。小さい寸法の孔部６９は、膜の上に堆積した吸着剤層の上で、改良された、検体の拡散捕捉を提供する。
【００３０】
孔部の周りに曲がりくねった線状の加熱器は、熱脱着のため膜を急速に加熱する目的で使用される。ＣＡＳＰＡＲコンセントレーター技術のより典型的な吸着剤床プレコンセントレーターに対する有利な点は、限定することなしに、大きな体積流量（数十Ｌ／分）、低電力の加熱（数百ｍＷ）、および速い熱脱着（ミリセカンド熱上昇時間）を含む。
【００３１】
ＭＧＳタイプのデバイス（図７）またはＣＡＳＰＡＲタイプのデバイス（図８および９）のいずれかによる蒸気の濃縮は、濃縮レベルを構築するためにデバイスを通じて最小限の量の空気が処理されるまで継続されることが可能にされ、該濃縮レベルは指示されたリストの関心がある化学物質の完全な化学標識分析によって規定される。蒸気が濃縮された後、吸収された分子は蒸気収集器７０上で脱着される。
【００３２】
ラマンインテロゲーションに関して濃縮された蒸気を収集するいくつかの方法があり、限定することなしに、冷却板、マイクロ多孔性表面または真空セルを含む。
【００３３】
冷却板の設計は、蒸気が冷たい表面に衝突する場合には蒸気が濃縮して液体を生成するという原理に基づいている。次いで、この液体は、収集されたエアロゾル粒子について上記で説明されたような、ラマンベースの検出システムを使って調べられうる。一実施形態では、冷却板の冷却は一体型熱電気冷却器（ＴＥＣ）によってなされうる。水蒸気の収集は、蒸気濃縮器の脱着段階で乾燥した空気を使って最小化されうる。冷却板は、液体を離れさせるために、該冷却板に熱を加えることによりクリーニングされうる。
【００３４】
本明細書で説明されたシステムおよび方法は、その精神または本質的な特徴から逸脱することなしに、他の特定の形態で実施されうる。したがって、上記の実施形態は、あらゆる点で例示とみなされるべきであり、限定することは意図されていない。
【図１】
2009543072.tif 000003
【図２】
2009543072.tif 000004
【図３】
2009543072.tif 000005
【図４】
2009543072.tif 000006
【図５】
2009543072.tif 000007
【図６】
2009543072.tif 000008
【図７】
2009543072.tif 000009
【図８】
2009543072.tif 000010
【図９】
2009543072.tif 000011
【国際調査報告】
2009543072.tif 000012